(57)【要約】【課題】本格的な冷凍輸送商品を取り扱う冷凍保冷車への適用が可能で且つ荷役作業を従来よりも容易に行い得るようにした貨物自動車を提供する。【解決手段】キャブ２後方のシャシフレーム３上に箱形の断熱構造を有する荷台４を搭載した貨物自動車１に関し、前記荷台４の後半領域４Ｂにおける左右の側壁上側部分と左右の屋根部分とをＬ字断面の一対のウイング１６として上方へ展開し且つ左右の側壁下側部分をアオリ１８として下方へ展開し得るように構成し、前記荷台４の前半領域４Ａを開閉自在な間仕切り１３により後半領域４Ｂ側と区画して適宜に冷凍保冷庫として冷却し得るように構成する。【選択図】図１
2008149846.tif 000002
【特許請求の範囲】
【請求項１】
キャブ後方のシャシフレーム上に箱形の断熱構造を有する荷台を搭載した貨物自動車であって、前記荷台の前半領域と後半領域の何れか一方における左右の側壁上側部分と左右の屋根部分とをＬ字断面の一対のウイングとして上方へ展開し且つ左右の側壁下側部分をアオリとして下方へ展開し得るように構成し、前記荷台の前半領域と後半領域のうちの他方を開閉自在な間仕切りにより一方の側と区画して適宜に冷凍保冷庫として冷却し得るように構成したことを特徴とする貨物自動車。
【請求項２】
荷台の前半領域と後半領域のうちの一方の側も適宜に冷蔵保冷庫として冷却し得るように構成したことを特徴とする請求項１に記載の貨物自動車。
【請求項３】
荷台の後半領域をウイングとアオリにより展開し得るように構成したことを特徴とする請求項１に記載の貨物自動車。
【発明の詳細な説明】
【技術分野】
【０００１】
本発明は、貨物自動車に関するものである。
【背景技術】
【０００２】
一般的に冷凍貨物を保冷しながら輸送する冷凍保冷車には、キャブ後方のシャシフレーム上に冷凍保冷庫を成す箱形の荷台を搭載したバン型車両が用いられており、前記荷台の土台部分にあたる床構造を取り囲む前壁、後壁、左右の側壁、屋根の夫々が、断熱パネルにより構成されるようになっている。
【０００３】
ここで、前記断熱パネルは、アルミニウム製の外板と内板との間に、スチレンやウレタン等の発泡断熱材を挟んで接着剤により貼り合わせたサンドイッチ構造を成すようにしたものであり、それ自体が強度部材としても機能するようになっていて、箱形に組み立てられることで高剛性の荷台が実現されるようになっている。
【０００４】
また、荷台の前壁の上部には、車両前方へ張り出すエバポレータハウスが設けられており、このエバポレータハウス内に収容されたエバポレータユニットにより冷気が荷室内に循環供給されて荷室内の冷却が図られるようになっている。
【０００５】
そして、このようなバン型車両の冷凍保冷車にあっては、荷台の気密性が良好であることから荷室内を極めて低い温度まで冷却することができ、アイスクリーム等の本格的な冷凍輸送商品を取り扱うことができるというメリットがある。
【０００６】
尚、バン型車両に関連する先行技術文献情報としては、例えば下記の特許文献１等が既に存在している。
【特許文献１】特開２００２−１４４９４６号公報
【発明の開示】
【発明が解決しようとする課題】
【０００７】
しかしながら、従来におけるバン型車両の冷凍保冷車では、基本的に荷台後方をプラットホームにつけてリヤドアを開放し、該リヤドアを通して荷台への貨物の積み降ろしをプラットホームから台車装置等で行うようにしていたため、荷役作業の効率があまり良くないという不具合があり、しかも、その効率の良くない荷役作業に手間取る間にリヤドアから冷気が流れ出て荷室の低温維持が難しくなるという虞れもあった。
【０００８】
他方、荷役作業の効率の良い貨物自動車としては、荷台の左右の両側壁を上方に展開して開放し得るようにしたウイング型車両が知られているが、この種のウイング型車両では、構造的に高い気密性を確保することが難しく、しかも、その側壁の展開時に冷気が著しく流れ出てしまうことから荷室の低温維持も困難であるため、本格的な冷凍輸送商品を取り扱う冷凍保冷車への適用は未だ実現していない。
【０００９】
本発明は上述の実情に鑑みてなしたもので、本格的な冷凍輸送商品を取り扱う冷凍保冷車への適用が可能で且つ荷役作業を従来よりも容易に行い得るようにした貨物自動車を提供することを目的とする。
【課題を解決するための手段】
【００１０】
本発明は、キャブ後方のシャシフレーム上に箱形の断熱構造を有する荷台を搭載した貨物自動車であって、前記荷台の前半領域と後半領域の何れか一方における左右の側壁上側部分と左右の屋根部分とをＬ字断面の一対のウイングとして上方へ展開し且つ左右の側壁下側部分をアオリとして下方へ展開し得るように構成し、前記荷台の前半領域と後半領域のうちの他方を開閉自在な間仕切りにより一方の側と区画して適宜に冷凍保冷庫として冷却し得るように構成したことを特徴とするものである。
【００１１】
而して、荷台の前半領域と後半領域の一方に対し、そのウイングとアオリを展開することにより荷台側面を部分的に開放して効率良く荷積みを行いながら、荷台の前半領域と後半領域の他方を冷凍保冷庫として冷却しておき、然る後に、ウイングとアオリを閉じて外気と隔絶した状態で間仕切りを開け、荷台の前半領域と後半領域の一方から他方へ貨物を移動させて冷凍保冷庫に貨物を収めるようにすれば、冷気の流出を最小限に抑えた荷積みが実現される。
【００１２】
また、貨物を荷降ろしする際にも、荷室内で間仕切りを開けて荷台の前半領域と後半領域の一方に対し他方から貨物を取り出して移動させておき、然る後に、間仕切りを再び閉じて冷凍保冷庫を外気と隔絶した状態でウイングとアオリを展開して効率良く荷降ろしを行うようにすれば、冷気の流出を最小限に抑えた荷降ろしが実現される。
【００１３】
ただし、ウイングとアオリの展開は必要に応じて行えば良く、荷役作業を行うべき貨物の量が少ない場合等には、ウイングとアオリを展開せずにリヤドアから貨物の荷役作業を行うことも可能であり、更には、荷台の前半領域と後半領域の他方に別途設けた側壁ドアから貨物を直接出し入れすることも不可能ではない。
【００１４】
更に、荷台の前半領域と後半領域のうちの冷凍保冷庫としなかった一方には、特に冷凍する必要のない常温貨物を積み込んで輸送することが可能であり、一台の貨物自動車で要冷凍貨物と常温貨物を混載して輸送することが可能となるので、要冷凍貨物と常温貨物の夫々について貨物自動車一台分のまとまった積荷を確保できなくても積載効率を下げなくて済み、要冷凍貨物と常温貨物を二台の貨物自動車に分けなくて済むことでドライバーの確保も一名で済む。
【００１５】
また、本発明においては、荷台の前半領域と後半領域のうちの一方の側も適宜に冷蔵保冷庫として冷却し得るように構成することが好ましく、このようにすれば、荷台の前半領域と後半領域のうちの一方の側に要冷蔵貨物を積み込んで輸送することが可能となり、一台の貨物自動車で要冷凍貨物と要冷蔵貨物を混載して輸送することが可能となる。
【００１６】
尚、冷凍保冷庫や冷蔵保冷庫の冷却は任意に行えば良く、依頼品目に応じて冷凍保冷庫や冷蔵保冷庫の冷却を適宜に停止し、これら冷凍保冷庫や冷蔵保冷庫に常温貨物を積み込んで輸送するようにしても良い。
【００１７】
更に、本発明においては、荷台の後半領域をウイングとアオリにより展開し得るように構成することが好ましく、このようにすれば、荷台の前半領域が高剛性のボックス構造を成すことで荷台全体としての強度や剛性を高く維持することが可能となり、しかも、荷台の前半領域の冷凍保冷庫を間仕切りにより外気と隔絶した状態でリヤドアから荷役作業を行うことも可能となる。
【発明の効果】
【００１８】
上記した本発明の貨物自動車によれば、下記の如き種々の優れた効果を奏し得る。
【００１９】
（Ｉ）本発明の請求項１に記載の発明によれば、荷台の前半領域と後半領域の一方だけをウイングとアオリの展開により開放して効率良く荷役作業を行うことができると共に、荷台の前半領域と後半領域の他方を気密性の高い冷凍保冷庫として利用することができ、しかも、その冷凍保冷庫に対し荷台の中で外気から隔絶した状態で貨物の搬入搬出を行うことで冷気の流出を最小限に抑えた貨物の積み降ろしを実現することができるので、冷凍保冷庫の低温維持を良好に図ることができ、本格的な冷凍輸送商品を品質を確実に保持しつつ取り扱うことができる。
【００２０】
（ＩＩ）本発明の請求項１に記載の発明によれば、一台の貨物自動車で要冷凍貨物と常温貨物を混載して輸送することができ、要冷凍貨物と常温貨物の夫々について貨物自動車一台分のまとまった積荷を確保できなくても積載効率を下げなくて済み、要冷凍貨物と常温貨物を二台の貨物自動車に分けなくて済むことでドライバーの確保も一名で済むので、従来よりも輸送コストを大幅に削減することができる。
【００２１】
（ＩＩＩ）本発明の請求項２に記載の発明によれば、荷台の前半領域と後半領域のうちの一方の側に要冷蔵貨物を積み込んで輸送することができ、一台の貨物自動車で要冷凍貨物と要冷蔵貨物を混載して輸送することができ、更には、依頼品目に応じて冷凍保冷庫や冷蔵保冷庫の冷却を適宜に停止し、これら冷凍保冷庫や冷蔵保冷庫に常温貨物を積み込んで輸送することもできる。
【００２２】
（ＩＶ）本発明の請求項３に記載の発明によれば、荷台の前半領域を高剛性のボックス構造として荷台全体の強度や剛性を高く維持することができ、しかも、荷台の前半領域の冷凍保冷庫を間仕切りにより外気と隔絶した状態でリヤドアから荷役作業を行うこともできるので、荷台の後半領域にウイング型車両と同じ機能を持たせながらも全体としてバン型車両に準ずる強度や剛性を確保することができる。
【発明を実施するための最良の形態】
【００２３】
以下本発明の実施の形態を図面を参照しつつ説明する。
【００２４】
図１〜図５は本発明を実施する形態の一例を示すもので、図１〜図３中における符号の１はキャブ２後方のシャシフレーム３上に箱形の断熱構造を有する荷台４を搭載した貨物自動車を示しており、この貨物自動車１における荷台４の前半領域４Ａがバン型の荷台構造を成し、後半領域４Ｂはウイング型の荷台構造を成すようになっている。
【００２５】
より詳細に述べると、ここに図示している例では、キャブ２後方のシャシフレーム３上における荷台の搭載範囲に、縦根太やクロスシルを格子状に組み付けて成る支持架構５が設けられ、該支持架構５上に断熱構造の床パネル６が長手方向全域に亘り敷設される一方、前記支持架構５における前端に前壁７が、その長手方向中間位置に中間門枠８が、その後端に後方門枠９が夫々立設されている。
【００２６】
そして、前壁７と中間門枠８との間に、左右の側壁パネル１０，１１と、天井パネル１２とが、後部開放の箱形を成すように組み付けられてバン型の荷台構造が構成されるようになっており、斯かるバン型の荷台構造における中間門枠８付近の後部開放位置に、開閉自在な間仕切りを適宜に着脱し得るように配置することにより、荷台の前半領域４Ａにおける荷室が後半領域４Ｂ側に対し区画されるようにしてある。
【００２７】
ここで、前述の左右の側壁パネル１０，１１と、天井パネル１２は、アルミニウム製の外板と内板との間に、スチレンやウレタン等の発泡断熱材を挟んで接着剤により貼り合わせたサンドイッチ構造を成すようにしたものであり、それ自体が強度部材としても機能するようになっている。
【００２８】
また、前述の間仕切り１３には、既存の冷凍保冷車の庫内を分割して温度管理を別々に行う場合に使用されている市販品を採用すれば良く、この種の間仕切り１３には、既存の中折れタイプ、ドアタイプ、セパレートタイプ、観音開きタイプ、跳ね上げタイプ等を適宜に選定して用いることが可能である。
【００２９】
更に、前記前壁７の上部には、車両前方へ張り出すエバポレータハウス１４が設けられ、このエバポレータハウス１４内に収容されたコンデンシングユニット一体装備のエバポレータユニット１５により冷気が循環されるようになっており、荷台４の前半領域４Ａを適宜に冷凍保冷庫として冷却し得るように構成してある。
【００３０】
他方、中間門枠８と後方門枠９との間には、左右の側壁上側部分と左右の屋根部分とを一体的に形成したＬ字断面の一対のウイング１６，１７と、左右の側壁下側部分を成すアオリ１８，１９とが、後部開放の箱形を成すように装備され、その後部開放位置の後方門枠９には、観音開きのリヤドア２０，２１が開閉自在に取り付けられるようになっており、荷台４の後半領域４Ｂにウイング型の荷台構造が構成されるようになっている。
【００３１】
即ち、図４及び図５に詳細を示している通り、前記Ｌ字断面の一対のウイング１６，１７は、中間門枠８の上部中央位置と後方門枠９の上部中央位置とを車両前後方向に連結するセンタービーム２２に対しヒンジ機構２３を介し傾動自在に枢着され、中間門枠８及び後方門枠９の上部に夫々装備された油圧シリンダ２４（図５参照）の作動により上方へ展開し得るようにしてあり、また、前記左右のアオリ１８，１９は、支持架構５の外側端に対しヒンジ機構２５を介して傾動自在に枢着され、手動操作でロックを解除することでアオリ１８，１９を下方へ展開して垂下させ得るようにしてある。
【００３２】
尚、これら各ウイング１６，１７と各アオリ１８，１９の傾動箇所や相互の突き合わせ箇所には、多重のシール２６（図４参照）が装備されており、ウイング１６，１７とアオリ１８，１９を未展開の状態とした際に、荷室内が外気と確実に隔絶されるようにしてある。
【００３３】
また、前述のウイング１６，１７、アオリ１８，１９、リヤドア２０，２１も、アルミニウム製の外板と内板との間に、スチレンやウレタン等の発泡断熱材を挟んで接着剤により貼り合わせたサンドイッチ構造を成すようになっており、それ自体が強度部材としても機能するようになっている。
【００３４】
更に、図１中に鎖線で示している通り、前記後方門枠９の上部の荷室側には、車両前方へ張り出す扁平なエバポレータハウス２７が設けられ、このエバポレータハウス２７内に収容されたエバポレータユニット２８により冷気が循環されるようになっており、荷台の後半領域４Ｂを適宜に冷蔵保冷庫として冷却し得るように構成してある。
【００３５】
尚、この荷台の後半領域４Ｂを冷却するためのエバポレータユニット２８は、荷室内の冷気をファンにより循環し且つ荷室外のコンデンシングユニット（ホイールベースに装備）から送られた液相の冷媒を圧力開放により蒸発させて循環冷気から潜熱を吸収し得るようにしたコンデンシングユニット別体の構造としてある。
【００３６】
而して、荷台の後半領域４Ｂに対し、そのウイング１６，１７とアオリ１８，１９を展開することにより荷台４側面を部分的に開放して効率良く荷積みを行いながら、荷台４の前半領域４Ａを冷凍保冷庫として冷却しておき、然る後に、ウイング１６，１７とアオリ１８，１９を閉じて外気と隔絶した状態で間仕切り１３を開け、荷台４の後半領域４Ｂから前半領域４Ａへ貨物を移動させて冷凍保冷庫に貨物を収めるようにすれば、冷気の流出を最小限に抑えた荷積みが実現される。
【００３７】
また、貨物を荷降ろしする際にも、荷室内で間仕切り１３を開けて荷台の前半領域４Ａから貨物を取り出して後半領域４Ｂに移動させておき、然る後に、間仕切り１３を再び閉じて冷凍保冷庫を外気と隔絶した状態でウイング１６，１７とアオリ１８，１９を展開して効率良く荷降ろしを行うようにすれば、冷気の流出を最小限に抑えた荷降ろしが実現される。
【００３８】
ただし、ウイング１６，１７とアオリ１８，１９の展開は必要に応じて行えば良く、荷役作業を行うべき貨物の量が少ない場合等には、ウイング１６，１７とアオリ１８，１９を展開せずにリヤドア２０，２１から貨物の荷役作業を行うことも可能であり、更には、荷台４の前半領域４Ａに別途設けた側壁ドア２９，３０（図１参照）から貨物を直接出し入れすることも不可能ではない。
【００３９】
更に、荷台４の後半領域４Ｂの冷蔵保冷庫には、本格的な冷凍までしなくても良い生鮮果実等の要冷蔵貨物を積み込んで輸送することが可能であり、一台の貨物自動車１で要冷凍貨物と要冷蔵貨物を混載して輸送することが可能となるので、要冷凍貨物と要冷蔵貨物の夫々について貨物自動車一台分のまとまった積荷を確保できなくても積載効率を下げなくて済み、要冷凍貨物と要冷蔵貨物を二台の貨物自動車に分けなくて済むことでドライバーの確保も一名で済む。
【００４０】
この際、荷台４の後半領域４Ｂの冷蔵保冷庫の冷却は任意に行えば良く、依頼品目に応じて冷蔵保冷庫の冷却を適宜に停止し、この冷蔵保冷庫に常温貨物を積み込んで輸送することも可能であり、このようにした場合には、一台の貨物自動車１で要冷凍貨物と常温貨物を混載して輸送することが可能となる。
【００４１】
尚、同様に冷凍保冷庫の冷却も依頼品目に応じて適宜に停止することが可能であり、特に要冷凍貨物の輸送依頼がなかった場合には、冷凍保冷庫に常温貨物を積み込んで通常のドライバンのように使用することも不可能ではない。
【００４２】
従って、上記形態例によれば、荷台４の後半領域４Ｂだけをウイング１６，１７とアオリ１８，１９の展開により開放して効率良く荷役作業を行うことができると共に、荷台４の前半領域４Ａを気密性の高い冷凍保冷庫として利用することができ、しかも、その冷凍保冷庫に対し荷台４の中で外気から隔絶した状態で貨物の搬入搬出を行うことで冷気の流出を最小限に抑えた貨物の積み降ろしを実現することができるので、冷凍保冷庫の低温維持を良好に図ることができ、本格的な冷凍輸送商品を品質を確実に保持しつつ取り扱うことができる。
【００４３】
また、一台の貨物自動車１で要冷凍貨物と要冷蔵貨物（又は常温貨物）を混載して輸送することができ、要冷凍貨物と要冷蔵貨物（又は常温貨物）の夫々について貨物自動車一台分のまとまった積荷を確保できなくても積載効率を下げなくて済み、要冷凍貨物と要冷蔵貨物（又は常温貨物）を二台の貨物自動車に分けなくて済むことでドライバーの確保も一名で済むので、従来よりも輸送コストを大幅に削減することができる。
【００４４】
また、特に本形態例においては、荷台４の前半領域４Ａを高剛性のボックス構造として荷台４全体の強度や剛性を高く維持することができ、しかも、荷台４の前半領域４Ａの冷凍保冷庫を間仕切り１３により外気と隔絶した状態でリヤドア２０，２１から荷役作業を行うこともできるので、荷台４の後半領域４Ｂにウイング型車両と同じ機能を持たせながらも全体としてバン型車両に準ずる強度や剛性を確保することができるというメリットもある。
【００４５】
尚、本発明の貨物自動車は、上述の形態例にのみ限定されるものではなく、図示では荷台の後半領域をウイングとアオリにより展開し得るように構成した場合を例示しているが、荷台の前半領域をウイングとアオリにより展開し得るように構成しても良いこと、また、実際の運用にあたり冷凍保冷庫や冷蔵保冷庫の冷却は任意に行えば良いこと、その他、本発明の要旨を逸脱しない範囲内において種々変更を加え得ることは勿論である。
【図面の簡単な説明】
【００４６】
【図１】本発明を実施する形態の一例を示す側面図である。
【図２】図１のＩＩ−ＩＩ矢視の一部を破断して示す図である。
【図３】図１のＩＩＩ−ＩＩＩ方向の矢視図である。
【図４】図１のＩＶ−ＩＶ矢視の断面図である。
【図５】図１のウイングとアオリを展開して側面開放した状態を示す斜視図である。
【符号の説明】
【００４７】
１  貨物自動車
２  キャブ
３  シャシフレーム
４  荷台
４Ａ  前半領域
４Ｂ  後半領域
１３  間仕切り
１５  エバポレータユニット
１６  ウイング
１７  ウイング
１８  アオリ
１９  アオリ
２８  エバポレータユニット
【図１】
2008149846.tif 000003
【図２】
2008149846.tif 000004
【図３】
2008149846.tif 000005
【図４】
2008149846.tif 000006
【図５】
2008149846.tif 000007